(57)【要約】【課題】  箱全体の強度を高めることができるとともに、容易に組立てることができる組立式箱の提供。【解決手段】  底板１１と、前側板１６、背側板１７、左側板１８及び右側板１９と、各連結板２０，２１，２２，２３とを備え、前側板１６及び背側板１７は、外側板２８，３１と、上縁板２９，３２を介して一体に形成された内側板３０，３３とをもってそれぞれ構成され、前内側板３０及び背内側板３３は、両側縁に補強板４０を備え、左側板１８及び右側板１９を底板１１に重ねて折り畳むとともに、補強板４０を折り曲げて内側板３０，３３に重ね合わせ、仮止め手段により内側板内側面に仮止めして全体形状を平板状となし、各側板１６，１７，１８，１９を底板１１に対して立ち上げるとともに、補強板４０を内側板４０に対して立ち上げて左側板１８及び右側板１９の内側に折り込む。【選択図】  図２
2006103738.tif 000002
【特許請求の範囲】
【請求項１】
平板状の底板と、該底板の四辺に折り目を介して一体に形成された前側板、背側板、左側板及び右側板と、前記前側板と左側板の各側辺間を連結する前左側板間連結板と、前記前側板と右側板の各側辺間を連結する前右側板間連結板と、前記背側板と左側板の各側辺間を連結する背左側板間連結板と、前記背側板と右側板の各側辺間を連結する背右側板間連結板とを備え、
前記前側板及び背側板は、前記底板と折り目を介して連続された外側板と、該外側板の前記底板とは反対側の縁部に折り目又は一定幅を有する上縁板を介して一体に形成された内側板とをもってそれぞれ構成され、前記内側板を前記折り目又は上縁板の両縁部を折り目として折り曲げて前記外側板に重ね合わせ、
前記前内側板及び背内側板は、両側縁に折り目を介して一体に形成された補強板を備え、
前記各連結板は、前記底板の隅を始点とした折り目をもって隔てられた固定部と可動部とからなり、該固定部を前記前外側板及び背外側板の内側面に貼着し、
前記左側板及び右側板を前記底板に重ねて折り畳むとともに、前記補強板を折り目より折り曲げて前記内側板に重ね合わせ、仮止め手段により前記内側板内側面に仮止めして全体形状を平板状となし、前記各側板を前記底板に対して立ち上げるとともに、前記補強板を前記内側板に対して立ち上げて前記左側板及び右側板の内側に折り込むことにより箱状に組立てられるようにしたことを特徴としてなる組立式箱。
【請求項２】
仮止め手段は、内側板に形成された係止用孔と、該係止用孔と互いに係合する補強板に切れ目を入れることにより形成された切り起し片とをもって構成された請求項１に記載の組立式箱。
【請求項３】
係止用孔は、その内側縁に係止用突起を備えた請求項２に記載の組立式箱。
【請求項４】
仮止め手段は、弱い粘着性を有する粘着材をもって構成された請求項１に記載の組立式箱。
【請求項５】
内側板は、その折り目側又は上縁板側の隅部より先端縁側に斜めに向けた折り目を形成して該折り目より折り畳まれる逃がし片部を備え、該逃がし片部を立ち上げることにより前記仮止め手段が解除され、前記内側板に対し補強板が立ち上がるようにした請求項１〜３又は４に記載の組立式箱。
【請求項６】
左側板及び右側板の底板とは反対側の縁部に折り目を介して一体に形成された頂板と、該頂板の両側縁に折り目を介して一体に形成された係止片とを備え、前記折り目より折り曲げて前記頂板を前後両側板の上縁部間に架け渡すとともに、前記係止片を前記前側板及び背側板の上縁部に係止させるようにした請求項１〜４又は５に記載の組立式箱。
【請求項７】
左側板及び右側板の底板とは反対側の縁部に折り目又は一定幅を有する上縁板を介して一体に形成された押さえ板を備え、前記折り目又は左右上縁板の両縁部を折り目として前記押さえ板を折り曲げて、該押さえ板と前記左側板又は右側板との間に補強板を挟持するようにした請求項１〜５又は６に記載の組立式箱。
【請求項８】
箱を展開した形状に段ボール製板材を打ち抜き、それを折曲加工することによって形成され、前記段ボール製板材の段目を前後方向に向けて配置した請求項１〜６又は７に記載の組立式箱。
【発明の詳細な説明】
【技術分野】
【０００１】
本発明は、主に野菜や果物等の梱包に使用される組立式箱に関する。
【背景技術】
【０００２】
従来、一枚の段ボール製板材を所定の形状、即ち箱を展開した状態に打ち抜き、それを折曲加工することにより、平板状の底板と、底板の四辺に折り目を介して一体に形成された前側板、背側板、左側板及び右側板とからなる箱状に組立てられる組立式箱が広く使用されている。
【０００３】
しかし、このような組立式箱は、一枚の段ボール製板材から構成されているという性質上、例えば、前側板及び背側板の段目方向が縦向きである場合には、左右側板の段目方向が横向きとなるように、互いに直交配置にある側板同士で段ボールの段目の方向が異なる。
【０００４】
従って、このような組立式箱を多段積みするなどして、箱に上方からの荷重が作用した場合、段目方向が縦向きの側板は十分な強度を有するが、段目方向が横向きの側板では強度が不足して座屈しやすいという問題があった。
【０００５】
そこで、段目が縦向きの側板を、底板と折り目を介して連続した外側板と、外側板と一定幅を有する上縁板を介して一体に形成された内側板とをもって構成するとともに、内側板の両側縁に折り目を介して一体に形成された補強板を備え、底板に対し各側板を立ち上げて箱状に組立てた際に、前記補強板を段目が横向きの側板の内側に折り込み補強することができる組立式箱が開発されている（例えば、特許文献１を参照）。
【特許文献１】特開２００２−３３２０２６号公報
【発明の開示】
【発明が解決しようとする課題】
【０００６】
しかし、上述の如き従来の技術では、内側板の両側縁に折り目を介して補強板を連接している構造の為、各側板を立ち上げた状態を保持しつつ、補強板を内側に折り曲げる作業を行わなくてはならない等、補強板が邪魔となって組立て難いという問題があった。
【０００７】
そこで本発明は、上述の従来技術の問題を鑑み、箱全体の強度を高めることができるとともに、容易に組立てることができる組立式箱の提供を目的とする。
【課題を解決するための手段】
【０００８】
上述の如き従来の問題を解決し、所期の目的を達成するための請求項１に記載の発明は、平板状の底板と、該底板の四辺に折り目を介して一体に形成された前側板、背側板、左側板及び右側板と、前記前側板と左側板の各側辺間を連結する前左側板間連結板と、前記前側板と右側板の各側辺間を連結する前右側板間連結板と、前記背側板と左側板の各側辺間を連結する背左側板間連結板と、前記背側板と右側板の各側辺間を連結する背右側板間連結板とを備え、
前記前側板及び背側板は、前記底板と折り目を介して連続された外側板と、該外側板の前記底板とは反対側の縁部に折り目又は一定幅を有する上縁板を介して一体に形成された内側板とをもってそれぞれ構成され、前記内側板を前記折り目又は上縁板の両縁部を折り目として折り曲げて前記外側板に重ね合わせ、
前記前内側板及び背内側板は、両側縁に折り目を介して一体に形成された補強板を備え、
前記各連結板は、前記底板の隅を始点とした折り目をもって隔てられた固定部と可動部とからなり、該固定部を前記前外側板及び背外側板の内側面に貼着し、
前記左側板及び右側板を前記底板に重ねて折り畳むとともに、前記補強板を折り目より折り曲げて前記内側板に重ね合わせ、仮止め手段により前記内側板内側面に仮止めして全体形状を平板状となし、前記各側板を前記底板に対して立ち上げるとともに、前記補強板を前記内側板に対して立ち上げて前記左側板及び右側板の内側に折り込むことにより箱状に組立てられるようにした組立式箱であることを特徴とする。
【０００９】
請求項２に記載の発明は、請求項１の構成に加え、仮止め手段は、内側板に形成された係止用孔と、該係止用孔と互いに係合する補強板に切れ目を入れることにより形成された切り起し片とをもって構成されたことを特徴とする。
【００１０】
請求項３に記載の発明は、請求項２の構成に加え、係止用孔は、その内側縁に係止用突起を備えたことを特徴とする。
【００１１】
請求項４に記載の発明は、請求項１の構成に加え、仮止め手段は、弱い粘着性を有する粘着材をもって構成されたことを特徴とする。
【００１２】
請求項５に記載の発明は、請求項１〜３又は４の構成に加え、内側板は、その折り目側又は上縁板側の隅部より先端縁側に斜めに向けた折り目を形成して該折り目より折り畳まれる逃がし片部を備え、該逃がし片部を立ち上げることにより前記仮止め手段が解除され、前記内側板に対し補強板が立ち上がるようにしたことを特徴とする。
【００１３】
請求項６に記載の発明は、請求項１〜４又は５の構成に加え、左側板及び右側板の底板とは反対側の縁部に折り目を介して一体に形成された頂板と、該頂板の両側縁に折り目を介して一体に形成された係止片とを備え、前記折り目より折り曲げて前記頂板を前後両側板の上縁部間に架け渡すとともに、前記係止片を前記前側板及び背側板の上縁部に係止させるようにしたことを特徴とする。
【００１４】
請求項７に記載の発明は、請求項１〜５又は６の構成に加え、左側板及び右側板の底板とは反対側の縁部に折り目又は一定幅を有する上縁板を介して一体に形成された押さえ板を備え、前記折り目又は左右上縁板の両縁部を折り目として前記押さえ板を折り曲げて、該押さえ板と前記左側板又は右側板との間に補強板を挟持するようにしたことを特徴とする。
【００１５】
請求項８に記載の発明は、請求項１〜６又は７の構成に加え、箱を展開した形状に段ボール製板材を打ち抜き、それを折曲加工することによって形成され、前記段ボール製板材の段目を前後方向に向けて配置したことを特徴とする。
【発明の効果】
【００１６】
本発明に係る組立式箱は、平板状の底板と、該底板の四辺に折り目を介して一体に形成された前側板、背側板、左側板及び右側板と、前記前側板と左側板の各側辺間を連結する前左側板間連結板と、前記前側板と右側板の各側辺間を連結する前右側板間連結板と、前記背側板と左側板の各側辺間を連結する背左側板間連結板と、前記背側板と右側板の各側辺間を連結する背右側板間連結板とを備え、
前記前側板及び背側板は、前記底板と折り目を介して連続された外側板と、該外側板の前記底板とは反対側の縁部に折り目又は一定幅を有する上縁板を介して一体に形成された内側板とをもってそれぞれ構成され、前記内側板を前記折り目又は上縁板の両縁部を折り目として折り曲げて前記外側板に重ね合わせ、
前記前内側板及び背内側板は、両側縁に折り目を介して一体に形成された補強板を備え、
前記各連結板は、前記底板の隅を始点とした折り目をもって隔てられた固定部と可動部とからなり、該固定部を前記前外側板及び背外側板の内側面に貼着し、
前記左側板及び右側板を前記底板に重ねて折り畳むとともに、前記補強板を折り目より折り曲げて前記内側板に重ね合わせ、仮止め手段により前記内側板内側面に仮止めして全体形状を平板状となし、前記各側板を前記底板に対して立ち上げるとともに、前記補強板を前記内側板に対して立ち上げて前記左側板及び右側板の内側に折り込むことにより箱状に組立てられるようにしたことによって、補強板で補強されて左右両側板の上方からの荷重に対して座屈し難くなり、箱全体の強度が増すとともに、組立ての際に補強板が邪魔にならず容易に組立てることができ、作業効率がよい。
【００１７】
仮止め手段は、内側板に形成された係止用孔と、該係止用孔と互いに係合する補強板に切れ目を入れることにより形成された切り起し片とをもって構成されたことによって、補強板を内側板に容易に取り外せる状態で好適に保持させることができる。
【００１８】
係止用孔は、その内側縁に係止用突起を備えたことによって、切り起し片を好適に係合させることができる。
【００１９】
仮止め手段は、弱い粘着性を有する粘着材をもって構成されたことによって、補強板を内側板に容易に取り外せる状態で好適に保持させることができる。
【００２０】
内側板は、その折り目側又は上縁板側の隅部より先端縁側に斜めに向けた折り目を形成して該折り目より折り畳まれる逃がし片部を備え、該逃がし片部を立ち上げることにより前記仮止め手段が解除され、前記内側板に対し補強板が立ち上がるようにしたことによって、組立ての途中、各側板を底板に対して立ち上げる際に自動的に補強板が内側板より取り外され、好適に左右両側板の内側に折り込むことができる。
【００２１】
左側板及び右側板の底板とは反対側の縁部に折り目を介して一体に形成された頂板と、該頂板の両側縁に折り目を介して一体に形成された係止片とを備え、前記折り目より折り曲げて前記頂板を前後両側板の上縁部間に架け渡すとともに、前記係止片を前記前側板及び背側板の上縁部に係止させるようにしたことによって、互いに直交配置にある側板同士が外側に開く方向の力に対して補強がなされる。
【００２２】
左側板及び右側板の底板とは反対側の縁部に折り目又は一定幅を有する上縁板を介して一体に形成された押さえ板を備え、前記折り目又は左右上縁板の両縁部を折り目として前記押さえ板を折り曲げて、該押さえ板と前記左側板又は右側板との間に補強板を挟持するようにしたことによって、補強板を左右両側板の内側に好適に保持することができるとともに、補強板が内側部に露出するのを防止して見栄えもよくなる。
【００２３】
箱を展開した形状に段ボール製板材を打ち抜き、それを折曲加工することによって形成され、前記段ボール製板材の段目を前後方向に向けて配置したことによって、段目が横向きに配置された左右両側板の内側部に段目が縦向きの補強板が配され、好適に補強することができる。
【発明を実施するための最良の形態】
【００２４】
次に、本発明に係る組立式箱に関し図１〜図６について説明する。尚、図中に示す方向をそれぞれ前背左右天底として説明する。
【００２５】
図１は本発明に係る組立式箱の一例を示している。
【００２６】
組立式箱１０は、段目が前後方向に向けて配置された段ボール紙からなる段ボール製板材を図２に示す展開図のように打ち抜き、それを折曲加工することにより形成されている。
【００２７】
この組立式箱１０は、平板状の底板１１と、底板１１の四辺に折り目１２〜１５を介して一体に形成された前側板１６、背側板１７、左側板１８及び右側板１９と、前側板１６と左側板１８の両側辺間を連結する前左側板間連結板２０と、前側板１６と右側板１９の両側辺間を連結する前右側板間連結板２１と、背側板１７と左側板１８の両側辺間を連結する背左側板間連結板２２と、背側板１７と右側板１９の両側辺間を連結する背右側板間連結板２３とを備える。
【００２８】
また、この組立式箱１０は、左右両側板１８，１９の底板１１とは反対側の縁部に折り目２４，２５を介して一体に形成され、前背両側板１６，１７の上縁部間に架け渡された左頂板２６及び右頂板２７を備えている。
【００２９】
前側板１６は、折り目１２を介して底板１１と連続した前外側板２８と、前外側板２８の底板１１とは反対側の縁部に一定幅を有する前上縁板２９を介して一体に形成された前内側板３０とを備え、前内側板３０を前上縁板２９の両縁部を折り目として折り曲げて前外側板２８に重ね合わせ、前内側板３０を前外側板２８の内側面に接着剤により固着させている。
【００３０】
背側板１７は、折り目１３を介して底板１１と連続した背外側板３１と、背外側板３１の底板１１とは反対側の縁部に一定幅を有する背上縁板３２を介して一体に形成された背内側板３３とを備え、背内側板３３を背上縁板３２の両縁部を折り目として折り曲げて背外側板３１に重ね合わせ、背内側板３３を背外側板３１の内側面に接着剤により固着させている。
【００３１】
前背両内側板３０，３３は、上縁板２９，３２とは反対側の縁部に後述する係止片４８を回避するための回避用凹部３４，３４が形成されている。
【００３２】
また、前内側板３０及び背内側板３３には、その側縁基端側、即ち上縁板側より先端縁側に斜めに向けた折り目３５，３５を形成して該折り目３５より折り畳まれる逃がし片部３６，３６を備えている。
【００３３】
逃がし片部３６の外側板とは反対側の縁部、即ち前背両内側板３０，３３の外側板とは反対側の縁部には、底板１１から前外側板２８又は背外側板３１にかけて形成された係止孔３７に係合される係止突起３８が形成されている。
【００３４】
また、前内側板３０及び背内側板３３の両側縁には、折り目３９を介して補強板４０が一体に形成され、その補強板４０は、折目３９より折り曲げて前背両内側板３０，３３に重ね合わされ、その状態で仮止め手段により前背両内側板３０，３３にそれぞれ仮止めされるようになっている。
【００３５】
尚、補強板４０の前記折り目部３９にコ字状の切れ目を入れることにより、前背両内側板３０，３３に対して補強板４０を立ち上げた際に、前内側板３０及び背内側板３３の両側縁に左右両側板１８，１９に形成された係止孔４１に係合される係止突起４２が形成されるようになっている。
【００３６】
補強板４０は、その縁部に底板１１に形成された係止孔４３に係合される係止突起４４が形成されている。
【００３７】
仮止め手段は、図３に示すように、逃がし片部３６、即ち前背両内側板３０，３３に形成された係止用孔４５と、補強板４０の折り目３９を介して係止用孔４５と略対称な位置に形成された切り起し片４６とをもって構成され、補強板４０を折り目３９より折り曲げて内側板３０，３３に重ねた状態で、切り起し片４６を指等で内側板側に押し込み、切り起し片４６を立ち上げて係止用孔４５に挿入し、係合させることにより補強板４０を前背両内側板３０，３３にそれぞれ仮止めするようになっている。
【００３８】
切り起し片４６は、折り目３９とは反対側の部分を一部残して、補強板４０に楕円形状に切れ目を入れることにより形成され、前記一部残した部分を折り目として立ち上げられるようになっている。
【００３９】
一方、係止用孔４５は、円形に形成され、その折り目３９側の内側縁に係止用突起４７ａが、係止用突起４７ａから正負それぞれ９０度変位した位置に係止用突起４７ｂ，４７ｂがそれぞれ形成されており、係止用突起４７ｂに対して係止用突起４７ａの方が大きく形成されている。
【００４０】
また、この係止用孔４５は、逃がし片部３６を引起す際に使用する指穴としても機能するようになっている。
【００４１】
前上縁板２９及び背上縁板３２は、一定幅を有する細長板状に形成され、前側板１６又は背側板１７の上縁部を構成している。
【００４２】
この前背両上縁板２９，３２には、左右両頂板２６，２７の側縁に形成される係止片４８が挿入される係止孔４９が外側板側の折り目の内側にコ字状に切り込みを入れることにより形成され、前背両外側板２８，３１に対し、上縁板２９，３２を直角に配置することにより、係止孔４９が形成されるとともに、外側板に連続したガイド片５０が上縁より突出するようになっている。
【００４３】
左側板１８は、底板１１と折り目１４を介して連続して形成され、底板１１とは反対側の縁部に折り目２４を介して左頂板２６が連続して形成されている。
【００４４】
右側板１９は、底板１１と折り目１５を介して連続して形成され、底板１１とは反対側の縁部に折り目２５を介して右頂板２７が連続して形成されている。
【００４５】
また、左側板１８及び右側板１９の両側縁には、前内側板３０又は背内側板３３の側縁に設けられた係合突起４２が係合されるように係合用の係合孔４１が設けられている。
【００４６】
左頂板２６及び右頂板２７は、左右両側板１８，１９の上縁を構成する上縁板部と、上縁板部の両側部に一体に形成された隅部補強部とをもって構成され、その隅部補強部の側辺部に折り目を介して係止片４８が一体に形成されている。
【００４７】
左右両頂板２６，２７は、係止片４８が前側板１６及び背側板１７の上縁、即ち前上縁板２９及び背上縁板３２上に形成された係止孔４９に挿入されて係止されることによって、それぞれ組立式箱１０の上面端部で前側板１６と背側板１７との間に掛け渡されて固定される。
【００４８】
この係止片４８は、上縁板より上方に突出したガイド片５０に規制され、好適に係止孔４９に挿入できるようになっている。
【００４９】
また、上縁板部の折り目とは反対側の縁部には、折り目５１を介して押さえ板５２が一体に形成され、この押さえ板５２の折り目５１とは反対側の縁部には、底板１１に形成された係止孔５３に係合される係止突起５４が形成されている。そして、組立てられた際には、左右両側板１８，１９と押さえ板５２との間に補強板４０，４０が挟持されるようになっている。
【００５０】
前左側板間連結板２０、前右側板間連結板２１、背左側板間連結板２２及び背右側板間連結板２３は、それぞれ底板１１の四隅を始点とした折り目５５により隔てられた固定部５６と可動部５７とをもって構成され、固定部５６は、接着剤をもって前外側板２８及び背外側板３１の内面に接着されるようになっている。
【００５１】
また、組み立てられた際に、各連結板２０，２１，２２，２３の固定部５６と可動部５７とが重なり合った部分が内側板により押さえられるようになっている。
【００５２】
次に、上述した組立式箱１０の組立方法を説明する。
【００５３】
まず、図４（ａ）〜（ｂ）に示すように、左右両側板１８，１９を折り目１４，１５より内側、即ち底板１１側に折り曲げ、左右両側板１８，１９の底板１１とは反対側の縁部より連接された左右両頂板２６，２７及び押さえ板５２，５２とともに底板１１に重ねて折り畳む。そして、そのとき一緒に折られる各連結板２０，２１，２２，２３の固定部５６を前外側板２８及び背外側板３１の重なり合った部分に接着剤等によって貼着させる。
【００５４】
このように各連結板２０，２１，２２，２３の固定部５６を前外側板２８及び背外側板３１の重なり合った部分に貼着させたことにより、前側板１６及び背側板１７を立ち上げると貼着された各連結板２０，２１，２２，２３に連動して左右両側板１８，１９も立ち上がるようになっている。
【００５５】
次に、図４（ｂ）〜（ｃ）に示すように、前背両内側板３０，３３を上縁板２９，３２の両縁部を折り目として内側に折り曲げ、前背両外側板２８，３１に重ね合わせ、重なり合った内側板３０，３３を外側板２８，３１の内側面に貼着させ、前背両側板１６，１７を形成する。
【００５６】
このとき、前内側板３０及び背内側板３３に形成された回避用凹部３４により、左右両頂板２６，２７の側縁に形成された係止片４８は、内側板３０，３３により押さえ込まれないようになっている。
【００５７】
また、前背両内側板３０，３３を上縁板２９，３２を介して折り曲げることにより、前背両上縁板２９，３２よりガイド片５０が立ち上がるとともに、係止孔４９が形成される。
【００５８】
そして、図４（ｃ）〜（ｄ）に示すように、各補強板４０を折り目３９より折り曲げて前背両内側板３０，３３にそれぞれ重ね合わせ、仮止め手段、即ち、補強板４０の切り起し片４６を前背両内側板３０，３３の係止用孔４５に係合させて補強板４０を前背両内側板３０，３３に仮止めする。
【００５９】
これで一次組立が終了し、組立中間部材６０が形成され、この状態で、運搬や保管等を行えば、平板状であるので重ねても嵩張らず効率がよい。
【００６０】
次に、この組立中間部材６０を図４（ｄ）〜図５（ｅ）に示すように、左右両頂板２６，２７及び押さえ板５２，２５がそれぞれ一体に形成された左側板１８及び右側板１９を立ち上げると、各連結板２０，２１，２２，２３が連動して、前側板１６及び背側板１７も立ち上がる。このとき逃がし片部３６が立ち上がることにより、各連結板２０，２１，２２，２３が前背両内側板３０，３３に邪魔されずに好適に作動する。
【００６１】
また、補強板４０が折り目３５を跨いで配置されているので、折り目３５より折曲がり内側板３０，３３に対して逃がし片部３６が立ち上がると、図６に示すように、逃がし片部３６と補強板４０との間が離間し、それにより仮止め手段が自動的に解除され、即ち、補強板４０の切り起し片４６が逃がし片部３６の係止用孔４５より外れ、補強板４０が前背両内側板３０，３３より離脱して段ボール板材の弾性力により立ち上がるようになっている。
【００６２】
そして、図５（ｅ）〜（ｆ）に示すように、各側板１６，１７，１８，１９を底板１１に対して立ち上げ、逃がし片部３６を元に戻して、前内側板３０及び背内側板３３の係合突起を底板１１、左側板１８及び右側板１９の各係止孔に係合させ、各連結板２０，２１，２２，２３の固定部５６と可動部５７とが重なり合った部分を、前外側板２８と前内側板３０との間、或いは背外側板３１と背内側板３３との間で挟持する。
【００６３】
また、各側板１６，１７，１８，１９を底板１１に対し立ち上げることにより、各補強板４０，４０…が左右両側板１８，１９の内側に自動的に配置される。
【００６４】
最後に、図５（ｆ）〜（ｇ）に示すように、折り目２４，２５より左右両頂板２６，２７を内側へ折り曲げ、両側縁の係止片４８をガイド片５０にガイドさせながら係止孔４９に挿入して係合させ、更に、図５（ｇ）〜（ｈ）に示すように、押さえ板５２，５２を折り目５１より内側に折り曲げ、係止突起５４を係止孔５３に係合させ、左右両側板１８，１９と押さえ板５２との間に補強板４０を挟持する。
【００６５】
これで、組立式箱１０の組立てが完了する。
【００６６】
この組立式箱１０を分解する際には、押さえ板５２を底板１１より取り外すとともに、左右両頂板２６，２７の係止片４８を上縁板より取り外し、逃がし片部３６を立ち上げ、そのまま前側板１６及び背側板１７を寝かせると、各連結板２０，２１，２２，２３に連動して左側板１８及び右側板１９も底板１１に重ねて折り畳んだ状態となり、その状態で、補強板４０を仮止め手段により前背両内側板３０，３３にそれぞれ仮止めすることによって、一次組立が終了したときと同じ状態になる。
【００６７】
尚、上述の実施例では、仮止め手段を円形の係止用孔４５と、楕円形の切り起し片４６とをもって構成した例について説明したが、仮止め手段を、図７に示すように、折り目３９側に頂点が配置された三角形状の係止用孔６５と、台形状の切り起し片６６とをもって構成してもよい。尚、上述の実施例と同一の部分には同一符号を付して説明を省略する。
【００６８】
この係止用孔６５と切り起し片６６とは、折り目３９より補強板４０を折曲げ、内側板３０，３３に重ね合わせた際に、係止用孔６５の三角形の底辺部と切り起し片６６の台形の底辺部とが略同じ位置に配置されるように、折り目３９を介して略対称な位置に形成されている。
【００６９】
切り起し片６６は、底辺部に支持部６６ａが一体に形成され、支持部６６ａの一部を残して切れ目を入れることにより補強板４０より立ち上げ可能に形成されている。
【００７０】
支持部６６ａは、残された部分側が狭いテーパ状に形成されている。
【００７１】
このように構成された仮止め手段は、折り目３９より折り曲げて補強板４０を内側板３０，３３に重ね合わせた際に、係止用孔６５の三角形の底辺部と切り起し片６６の台形の底辺部とが略同じ位置に配置され、その位置で指等により切り起し片６６を内側板側に押し込むことにより、支持部６６ａを介して台形状の切り起し片６６が立ち上がり、三角形の係止用孔６５に嵌り込んで仮止めされるようになっている。
【００７２】
また、図６に示す場合と同様に、内側板３０，３３、即ち逃がし片部３６に補強板４０を仮止めした状態から、逃がし片部３６を立ち上げると、逃がし片部３６と補強板４０との間には互いに離間する方向に力が作用し、支持部６６ａの根元部分、即ち逃がし片部３６と切り起し片６６とを連結している部分にねじれが生じ、それにより切り起し片６６が補強板４０よりねじり切られて仮止めが解除されるようになっている。
【００７３】
また、上述の実施例では、仮止め手段を係止用孔と切り起し片をもって構成した例について説明したが、仮止め手段は、内側板又は補強板の互いに向い合う面の一方又は両方に粘着性の弱い粘着テープ等の粘着材を貼り付けておくことにより構成してもよく、その他、一定の保持力を有する一方、所定の力で容易に取り外し可能な状態に仮止めできるものであればよい。
【００７４】
尚、上述の実施例では、押さえ板５２を設け、補強板４０を左右側板１８，１９と押さえ板５２との間に挟持するようにした例について説明したが、押さえ板５２は設けずともよい。
【図面の簡単な説明】
【００７５】
【図１】本発明に係る組立式箱の一例を示す斜視図である。
【図２】同上の組立式箱の展開図である。
【図３】同上の仮止め手段の一例を示す部分拡大斜視図である。
【図４】同上の組立式箱の中間組立工程の状態を示す斜視図である。
【図５】同上の組立式箱の製箱工程の状態を示す斜視図である。
【図６】同上の組立式箱の逃がし片部を立ち上げた状態を示す部分拡大図である。
【図７】同上の仮止め手段の他の一例を示す部分拡大平面図である。
【符号の説明】
【００７６】
１０  組立式箱
１１  底板
１２〜１５  折り目
１６  前側板
１７  背側板
１８  左側板
１９  右側板
２０  前左側板間連結板
２１  前右側板間連結板
２２  背左側板間連結板
２３  背右側板間連結板
２４，２５  折り目
２６  左頂板
２７  右頂板
２８  前外側板
２９  前上縁板
３０  前内側板
３１  背外側板
３２  背上縁板
３３  背内側板
３４  回避用凹部
３５  折り目
３６  逃がし片部
３７  係止孔
３８  係止突起
３９  折り目
４０  補強板
４１  係止孔
４２  係止突起
４３  係止孔
４４  係止突起
４５  係止用孔
４６  切り起し片
４７  係止用突起
４８  係止片
４９  係止孔
５０  ガイド片
５１  折り目
５２  押さえ板
５３  係止孔
５４  係止突起
５５  折り目
５６  固定部
５７  可動部
６０  組立中間部材
６５  係止用孔
６６  切り起し片
６６ａ  支持部
【図１】
2006103738.tif 000003
【図２】
2006103738.tif 000004
【図３】
2006103738.tif 000005
【図４】
2006103738.tif 000006
【図５】
2006103738.tif 000007
【図６】
2006103738.tif 000008
【図７】
2006103738.tif 000009